(57)【特許請求の範囲】
【請求項１】
熱源機から供給される温水と空気とを熱交換させる熱交換器と，
浴室又は脱衣室の空気を前記熱交換器を介して循環させる循環装置と，
前記熱交換器及び循環装置が収納されると共に４隅に吊下穴が形成されて，浴室又は脱衣室の天井に形成された据付開口から天井裏に据付けられる本体ケースと，
最上端部が本天井のネダに固着される上部材と，該上部材にネジ止めされると共に，最下端部に雌ネジが固着された下部材とを備えたネダ固定具と，
前記吊下穴に挿通されて前記雌ネジと螺合することにより，前記本体ケースを前記ネダ固定具に固定する吊下部材とを有することを特徴とする浴室暖房乾燥機。
【請求項２】
皿状箱の底板の４隅に形成されて，前記雌ネジの正しい水平位置を示す位置合穴と，
当該皿状箱の側板に形成されて，浴室又は脱衣室の天井を支持する野縁に当接して，前記位置合穴の高さが前記雌ネジの正しい高さ位置を示すようにする野縁当接部とを備え，前記据付開口に挿着されて，前記雌ネジの高さ位置及び水平位置を位置合せに供され，当該位置合終了後は除去される位置合部材を有することを特徴とする請求項１記載の浴室暖房乾燥機。
【請求項３】
前記位置合部材の底面に作業穴が形成されて，前記雌ネジを位置合せする際に天井裏に手を差入れて位置合わせ作業ができるようにしたことを特徴とする請求項２記載の浴室暖房乾燥機。
【請求項４】
前記位置合部材が，前記本体ケースを搬送する際に収納される梱包箱又は当該梱包箱に収納されて前記本体ケースを保持し若しくは保護する段ボールであることを特徴とする請求項１乃至３いずれか１項記載の浴室暖房乾燥機。
【発明の詳細な説明】
【０００１】
【発明の属する技術分野】
本発明は，浴室や脱衣室（以下，浴室等という）を４方向吹出により暖房又は乾燥を行うことが可能な浴室暖房乾燥機に関する。
【０００２】
【従来の技術】
一般住宅における浴室等の温度は，まだ誰も入浴していない場合には，外気温とさほど変らないため，高齢者のように環境適応力が低下した人にとっては，冬場等における急激な温度変化が大きなヒートショックとなり，急激な血圧変動を引き起し死亡事故が発生することがある。
【０００３】
一方，近年住宅事情の変化により，浴室等の換気を十分に行うことができない場合があり，浴室等の壁や天井にカビが発生し易く，当該浴室等を乾燥できる手段が望まれている。
【０００４】
更に，住宅事情の変化により，洗濯物を乾かすための物干場を確保することが困難な場合も少なくなく，浴室等を物干場として使用することが提案されている。
【０００５】
かかる要求に対して，例えば特開平９−６６１９９号公報におけるような浴室暖房乾燥機が提案されている。
【０００６】
上記公報にかかる浴室暖房乾燥機１０は，図１８及び図１９に示すように，熱源機１１からの温水が循環する熱交換器１２，浴室等の空気を当該熱交換器１２を介して循環させるクロスフローファン１３，浴室等の空気を換気するための換気用ファン１４，クロスフローファン１３や換気用ファン１４に電力を供給する電源ブロック１８等を有している。
【０００７】
そして，当該浴室暖房乾燥機１０は，浴室等の天井に設けられた開口に設置され，天井裏で温水配管１６や排気ダクト１５が接続された構成となっている。
【０００８】
浴室暖房乾燥機１０，温水配管１６及び排気ダクト１５等の据付施工及びこれらのメンテナンスは，開口に隣接して設けられた点検口１７から天井裏に手を伸して，時には天井裏に入り込んで行うようになっている。
【０００９】
なお，浴室等に限らず一般的な部屋は，化粧板が野縁１０６等により支持されて形成される天井，その上に設けらてネダ等により支持された天井（例えば，２階の床となるもの）とが存在し，これらで挟まれた空間が天井裏を構成している。そこで，本明細書では化粧板により貼られた天井を浴室天井等と記載し，その上の天井を本天井と記載する。
【００１０】
【発明が解決しようとする課題】
しかしながら，上記構成にかかる浴室暖房乾燥機１０は，温風の吹出しをクロスフローファン１３により行うため，吹出方向が一方向吹出となって浴室等内に大きな温度分布が生じる問題があった。
【００１１】
図２０は，かかる一方向吹出の場合について浴室の温度分布をシュミュレーションした結果を示している。同図からわかるように，浴室等の主要空間を体温（３６度）前後に設定すると，吹出口近傍の温度を４０度以上にしなければならない。
【００１２】
このことは，浴室温度が低いことによるヒートショックについては予防できるが，逆に高温によるのぼせで転倒したりする危険がある。
【００１３】
また，温風は浴室等の壁に直接当らない構成なので，壁の温度が上がらず入浴者が浴室等の壁に触れて冷たい思いをしたり，浴室等の乾燥を行う場合には乾燥効率が悪くなる問題がある。
【００１４】
さらに，近年施工される家屋の浴室等は，規格寸法（例えば，１坪タイプ等）が多く，また浴室天井等に用いられる化粧板も規格寸法のものが多くなっている。従って，浴室暖房乾燥機１０や点検口１７を最適な場所に設けることが困難となる問題がある。
【００１５】
即ち，浴室等には，浴槽は勿論，戸や窓等が設けられており，これらに依存して温度分布が決るため，浴室暖房乾燥機の設置位置を決定する際には，これらの位置や大きさ等を勘案して最適位置に設ける必要がある。
【００１６】
このような最適位置の決定は，実際の温度分布を想定して施工する必要があるため，据付施工にはこれらの知識や経験のある作業者が不可欠となって，作業性を低下させる要因となると共に施工費用が高くなる問題がある。
【００１７】
また，最適位置を決定しても，当該最適位置が浴室天井の隅であったり化粧板の継目（メジ）の位置と一致しない場合には不体裁（意匠が悪くなる）になるので，最適位置を取るか体裁を取るかを選択しなければならなくなる問題がある。
【００１８】
一方，浴室暖房乾燥機１０の据付作業は，点検口１７から作業者が天井裏に入り，当該浴室暖房乾燥機１０を開口に合わせ，そして予め本天井に据付られた吊具に該浴室暖房乾燥機１０を固定することにより行なわれるため作業性がよくない問題がある。
【００１９】
そこで，本発明は，４方向吹出を可能にして効率的に浴室等の暖房及び乾燥が行えるようにすると共に，点検口を用いなくても容易に据付及びメンテナンスができるようにした浴室暖房乾燥機を提供することを目的とする。
【００２０】
【課題を解決するための手段】
上記課題を解決するため，請求項１にかかる発明は，熱源機から供給される温水と空気とを熱交換させる熱交換器と，浴室又は脱衣室の空気を熱交換器を介して循環させる循環装置と，熱交換器及び循環装置が収納されると共に４隅に吊下穴が形成されて，浴室又は脱衣室の天井に形成された据付開口から天井裏に据付けられる本体ケースと，最上端部が本天井のネダに固着される上部材と，該上部材にネジ止めされると共に，最下端部に雌ネジが固着された下部材とを備えたネダ固定具と，吊下穴に挿通されて雌ネジと螺合することにより，本体ケースをネダ固定具に固定する吊下部材とを有することを特徴とする。
【００２１】
請求項２にかかる発明は，皿状箱の底板の４隅に形成されて，雌ネジの正しい水平位置を示す位置合穴と，当該皿状箱の側板に形成されて，浴室又は脱衣室の天井を支持する野縁に当接して，位置合穴の高さが雌ネジの正しい高さ位置を示すようにする野縁当接部とを備え，据付開口に挿着されて，雌ネジの高さ位置及び水平位置を位置合せに供され，当該位置合終了後は除去される位置合部材を有することを特徴とする。
【００２２】
請求項３にかかる発明は，位置合部材の底面に作業穴が形成されて，雌ネジを位置合せする際に天井裏に手を差入れて位置合わせ作業ができるようにしたことを特徴とする。
【００２３】
請求項４にかかる発明は，位置合部材が，本体ケースを搬送する際に収納される梱包箱又は当該梱包箱に収納されて本体ケースを保持し若しくは保護する段ボールであることを特徴とする。
【００２４】
【発明の実施の形態】
本発明の実施の形態を図を参照して説明する。図１は本発明にかかる浴室暖房乾燥機の外観斜視図であり，図２はその組立分解斜視図，図３は浴室暖房乾燥機の本体の斜視図，図４は当該浴室暖房乾燥機を浴室及び脱衣室に据付けたときの様子を示す図，図５は浴室天井に据付けられた浴室暖房乾燥機の側面図である。
【００２５】
当該浴室暖房乾燥機１００は，浴室等の空気を温水と熱交換させて当該浴室等を暖めると共に浴室等の換気をする本体１０１，該本体１０１の前面（浴室等の側）に据付られたグリル１０２，本体１０１を天井に据付るための据付装置１０３等を有している。
【００２６】
据付装置１０３は，ネダ１０４等に固定されるネダ固定具１０５，該ネダ固定具１０５に本体１０１を垂下して，当該本体１０１を固定するボルト１１０及びワッシャ１１１からなる吊下部材等により構成されている。
【００２７】
ネダ固定具１０５は，図６に示すように，ネジ穴３０１が複数設けられた上部材３０２と，長穴３０３が複数設けられた下部材３０４とから形成されている。そして，上部材３０２の上端は略直角に折曲げられると共に，ネダ１０４にネジ止めされ際に用いられる貫通穴３０５が形成されている。また，下部材３０４の下端も略直角に折曲げられて雌ネジ３１４が固着されている。
【００２８】
なお，図６（ａ）はネダ固定具１０５の正面図，図６（ｂ）は側面図，図６（ｃ）は上面図を示している。
【００２９】
ボルト１１０は，図７に示すように，先端に先端ネジ部１１２が形成されると共に後端に後端ネジ部１１３が形成され，かつ，これらの中間領域１１４の直径は，先端ネジ部１１２及び後端ネジ部１１３のネジ谷がなす直径より適宜小さくなっている。
【００３０】
一方，ワッシャ１１１は中央穴１１５まで切込１１６が形成されている。この中央穴１１５の寸法Ｄ１は，ボルト１１０の中間領域１１４の直径Ｄ２より適宜大きく，かつ，ボルト１１０の頭部がなす直径Ｄ３より適宜小さくなっている。
【００３１】
なお，上記ネダ固定具１０５をネダ１０４に固定するときは，本体１０１の固定位置を想定して行うことは無論であるが，厳密に位置合せすることは非常に困難である。そこで，本発明では，浴室暖房乾燥機を梱包する際に用いる段ボール等を位置合部材３０６として用いている。
【００３２】
図８は，かかる梱包部材を用いた位置合部材３０６の展開図を示し，図９はその組立図を示している。当該位置合部材３０６は，底板３０７の周囲にそれぞれ側板３０８，３０９が設けられて，側板３０９に糊代３１０が設けられると共に，当該糊代３１０に隣接して野縁１０６に載置される野縁当接部３１１が設けられている。
【００３３】
また，底板３０７には作業穴３１２が設けられると共に，当該作業穴３１２の周辺４カ所のコーナに位置合穴３１３が設けられている。この位置合穴３１３は，後述する本体１０１の４隅に設けられた吊下穴１７７と対応する位置に形成されている。
【００３４】
このように，ネダ固定具１０５は非常に簡単な構成であり，また位置合部材３０６も浴室暖房乾燥機の据付後はゴミとなる梱包箱又はスペーサ等の段ボールを用いるようにしたので，安価になると共に据付作業も容易に行うことができるようになる。
【００３５】
グリル１０２は図１０に示すように，４方の周辺部に第１〜第４吹出口２４０〜２４３を開閉するように第１〜第４ルーバ２４４〜２４７が設けられ，当該第１〜第４ルーバ２４４〜２４７により温風の吹出方向を設定するようになっている。
【００３６】
また，グリル１０２の中央には周囲が段差に形成されたグリル開口２１５が設けられて，当該グリル開口２１５にフィルタが装着された吸気パネル１１７が填るようになっている。
【００３７】
図１１は本体１０１の内部構成を示す斜視図で，当該本体１０１は浴室等の空気を吸気して，これを温風にした後，再度浴室等に送風する加熱部１２８，該加熱部１２８からの温風を４つの第１〜第４吹出口２４０〜２４３に導く導風部１６１，浴室等の空気等を換気する換気部１３０，加熱部１２８や換気部１３０を駆動制御する制御部１３１等を有し，これらが本体ケース１３２内に収納されている。
【００３８】
なお，本体ケース１３２内は，仕切板１３３により加熱部１２８等が収納される加熱室と換気部１３０や制御部１３１等が収納される制御室とに区画されて，少なくとも制御室には浴室等の湿度の高い空気が侵入しないようになっている。
【００３９】
これにより，制御部１３１における電装部品が，湿気で寿命が低下したり，ホコリ等が付着して回路ショートするような事態の発生を抑制して，浴室暖房乾燥機１００の信頼性を向上させている。
【００４０】
加熱部１２８は，図１２に示すように，３辺からなる概略「コ」字状に形成されて，浴室等の空気を温水配管１３７を介して熱源機１３６から循環してきた温水と熱交換させる熱交換器１３８，浴室等の空気を吸気して熱交換器１３８を介して循環させる吐出す循環用送風機１３９等により構成されている。
【００４１】
熱交換器１３８は本体ケース１３２の側壁に沿って配設されて，熱交換器シール材１４０を介して固定部材１４１により本体ケース１３２に固定されている。また，熱交換器１３８の給排水部２３０は制御室側まで延設されて，本体ケース１３２の側壁に固定されている。
【００４２】
一方，循環用送風機１３９は，複数のエンペラが周囲に設けられた遠心型ファン１５１，該遠心型ファン１５１を回転させる循環モータ１５２，吸気した空気により当該循環モータ１５２が冷却されるように通気口１５３を備えて，本体ケース１３２に着脱可能に設けられた循環モータカバー１５４，循環モータ１５２の頭部及び底部に配設されて，循環モータカバー１５４を本体ケース１３２に係合させることにより循環モータ１５２を弾性力で支持する循環モータ支持部材１５５等により構成されている。
【００４３】
そして遠心型ファン１５１が回転することにより，当該遠心型ファン１５１の中央部分から浴室等の空気が吸気され，ファン外周部に吐出される。このとき，吐出方向には指向性が無いので，空気は等方的に吐出される。
【００４４】
しかし，熱交換器１３８が無い制御室側にも空気が吐出されると，その空気は仕切板１３３に当り，流路を変えて熱交換器１３８に流入するようになる。このため，空気が仕切板１３３に当る際の風音や流路を変える際に生じる乱流等による音が騒音となる。
【００４５】
そこで，本発明では，遠心型ファン１５１と対向する部分の仕切板１３３の形状を，当該遠心型ファン１５１の曲率に合わせて円弧状に形成し，部分的に遠心型ファン１５１を取巻くように配設している。これにより，当該部分から空気が吹出されないようになって静音化が図られると共に，加熱室のデッドスペースを少なくしている。
【００４６】
なお，本発明にかかる浴室暖房乾燥機１００の寸法は浴室等の建築規格に合わて設定しているので，必要以上に小さくすることはこの趣旨に反する。そこで，仕切板１３３により省かれた加熱室のデッドスペースを装置の小型化に直接反映させず，制御部１３１の周辺空間の確保に利用している。
【００４７】
当該周辺空間は，制御部１３１の冷却空間として作用するので効率的な冷却が可能になると共に，保守点検等の作業空間となるので作業効率を高めることができるようになっている。
【００４８】
導風部１６１は，図１３及び図１４に示すように，第１〜第３吹出窓１６２〜１６４が形成されて加熱室をカバーするように設けられた加熱室カバー１２６，第４吹出口２４３と位置が一致するように第４吹出窓１６５が設けられて制御室をカバーする制御室カバー１２７，加熱室と制御室とが連通することなく，第４吹出窓１６５を加熱室に連通させる温風ガイド１６６等により構成されている。
【００４９】
なお，図１３は加熱室カバー１２６の上面図，図１４は制御室カバー１２７を含む斜視図である。
【００５０】
制御室カバー１２７と仕切板１３３との間には，通気性が無く，かつ，弾性変形できるスポンジやゴム等の仕切板シール材１６７が配設されて，加熱室の湿度の高い空気が制御室に侵入しないようになっている。
【００５１】
制御室カバー１２７には，図１４に示すように，第４吹出口２４３と位置が一致するように第４吹出窓１６５が設けられると共に，当該制御室カバー１２７の裏面には，温風ガイド１６６が固着されるようになっている。
【００５２】
温風ガイド１６６は，側壁の一つが開口されて温風導入口１７６をなすと共に上面が開口されてなる箱体で，第４吹出窓１６５が位置する制御室カバー１２７の裏面に固着されて，温風導入口１７６から導入された温風が上面の開口を介して第４吹出口２４３から吹出されるようになっている。
【００５３】
次に，上記構成の浴室暖房乾燥機１００の据付手順及び保守点検手順を図４に示す浴室と脱衣室とに浴室暖房乾燥機１００を据付，熱源機１３６からの温水は脱衣室の浴室暖房乾燥機１００に供給される場合を例に説明する。
【００５４】
また，浴室暖房乾燥機１００の据付は，既存住宅に据付る場合であって，浴室天井及び脱衣室天井の野縁１０６の間隔が約６０ｃｍの場合について説明する。しかし，本発明は，これらに限定されるもので無く，新築住宅に据付けてもよいことは明らかである。
【００５５】
このような前提で据付手順や保守点検手順を説明するが，浴室等及び脱衣室における浴室暖房乾燥機１００の共通する据付手順等は，これらの区別を行わないで説明する。
【００５６】
先ず，浴室暖房乾燥機１００を据付るための据付開口２１２を浴室天井等に設ける。当該浴室暖房乾燥機１００の本体ケース１３２の寸法は例えば５３ｃｍとし，据付開口２１２は例えば５５ｃｍの正方形とする。また，グリル１０２の寸法は据付開口２１２より広い寸法で，例えば６１ｃｍとする。
【００５７】
規格住宅における野縁１０６間の最小幅が６０ｃｍであるので，上記寸法に設定するならば，どのような規格住宅でも据付けることができるようになり，野縁１０６の間を広げたりする作業及びそれに伴うコスト不要になる。
【００５８】
熱源機１３６からの温水配管１３７を脱衣室の浴室暖房乾燥機１００まで配管する。このとき，温水配管１３７は後述する理由から適宜長めに配管する。また，換気ダクト２１６を据付開口２１２の近傍まで配設しておく。さらに制御線２１３を配線しておく。
【００５９】
次に，ネダ固定具１０５をネダ１０４にネジ止めする。このとき，天井裏の高さ（ネダ１０４と野縁１０６との距離）等が家屋により異なったり，ネダ固定具１０５をネダ１０４に固定するときの固定位置が据付開口２１２の位置と一致していない場合があるため，ネダ固定具１０５における雌ネジ３１４の高さ位置を調整する必要が生じる。
【００６０】
そこで，位置合部材３０６を用いて，雌ネジ３１４の高さや水平位置を調整する。図１５は当該位置合部材３０６を用いて雌ネジ３１４の位置調整を行う際の様子を示す模式図である。位置合部材３０６を据付開口２１２から天井裏に一旦挿入し，その後側板３０８，３０９を据付開口２１２又は隣接する野縁１０６に沿って，野縁当接部３１１が野縁１０６に当接するまで挿着する。
【００６１】
このとき側板３０８，３０９を据付開口２１２又は野縁１０６に沿って挿入することにより，位置合部材３０６の水平位置が規定され，また，野縁当接部３１１が野縁１０６に当接することにより当該位置合部材３０６の高さ位置が規定される。
【００６２】
このようにして位置合部材３０６を挿着した後，ネダ固定具１０５における雌ネジ３１４を当該位置合部材３０６に設けられた位置合穴３１３に合うように位置合わせ行う。
【００６３】
当該位置合わせにおいて，高さ位置はネダ固定具１０５の上部材３０２と下部材３０４とのネジ止め位置を調整することにより行い，水平位置は上部材３０２と下部材３０４との直線性を調整することにより行う。
【００６４】
即ち，上部材３０２と下部材３０４とは，板状部材から形成されており，下部材３０４に長穴３０３が形成されて上部材３０２とネジ止めする構成になっている。この長穴３０３の幅経は，ネジ止めするネジの直径と同じにすると，ネジの挿入が困難になるので通常技術の範囲で適度に遊びができるように形成されている。
【００６５】
従って，この長穴３０３に生じる遊び分に対応して上部材３０２に対して下部材３０４を板幅方向に傾けることが可能になる。なお，下部材３０４を大きく傾ける必要がある場合には，下部材３０４の上端側の長穴３０３を用いて上部材３０２とネジ止めするようにして，当該下部材３０４の長さを有効利用することが可能である。一方，ネダ固定具１０５の板厚方向の位置合わせは，上部材３０２や下部材３０４を適宜曲げることにより行う。
【００６６】
そして，このような位置合作業は，位置合部材３０６における底板３０７の中央部に形成された作業穴３１２から天井裏に手を差入れて行う。
【００６７】
このようにして雌ネジ３１４の位置合を行った後，位置合部材３０６を取去り，当該雌ネジ３１４に，ボルト１１０の先端ネジ部１１２を螺合させて，当該ボルト１１０が据付開口２１２から吊下がった状態にする。
【００６８】
その後，図１６及び図１７に示すように，浴室暖房乾燥機１００の本体１０１を持上げ，当該本体１０１の周辺４隅に設けられた吊下穴１７７にボルト１１０を通す。この吊下穴１７７はボルト１１０の頭より適宜大きく，かつ，ワッシャ１１１より小さく形成されている。
【００６９】
そして，ワッシャ１１１を切込１１６からボルト１１０に挿入し，当該ボルト１１０の頭にワッシャ１１１を当接させて本体１０１を下げる。吊下穴１７７はワッシャ１１１より小さいので，本体１０１はワッシャ１１１に当接して中吊状態となる。
【００７０】
浴室等及び脱衣室の浴室暖房乾燥機１００をこのような中吊状態にした後，温水配管１３７の接続及び制御線２１３の接続を行う。
【００７１】
温水配管１３７は，適度にフレキシブルな樹脂管等が用いられ，かつ，長めに配管されているので，当該温水配管１３７の端部を浴室側等に引出して給排水部２３０に接続する。
【００７２】
これにより温水配管１３７及び制御線２１３の接続が完了し，次に本体１０１を所定位置に固定する。当該本体１０１の固定は，ボルト１１０の先端ネジ部１１２が雌ネジ３１４を越えるまで回して，雌ネジ３１４が中間領域１１４に位置するようにする。そこで，本体１０１及びボルト１１０を押上げて，後端ネジ部１１３と雌ネジ３１４とを螺合させることにより行う。
【００７３】
そして，グリル１０２を本体１０１にネジ止めし，４つの第１〜第４ルーバ２４４〜２４７の角度を温風が適宜所望の方向に送風されるように調整して浴室暖房乾燥機１００の据付作業が完了する。
【００７４】
なお，据付装置１０３の状態，据付開口２１２の形成状態或は化粧天井板の固定状態等により，本体１０１が化粧天井板のメジと平行にならない場合がある。このとき，本体ケース１３２の端部とメジとは近接しているので，多少の非平行状態でも目立ってしまい微調整が必要になる。
【００７５】
しかし，本発明にかかるグリル１０２の寸法は，化粧天井板より大きめに設定されているので，かかる天井化粧板のメジが隠されて多少の非平行状態でも目立なくすることができるようになっている。
【００７６】
このようにして据付られた浴室暖房乾燥機１００の保守点検を行うときは，上述した据付手順を遡ることにより可能である。
【００７７】
【発明の効果】
以上説明したように請求項１にかかる発明によれば，最上端部が本天井のネダに固着される上部材と，該上部材にネジ止めされると共に，最下端部に雌ネジが固着された下部材とによりネダ固定具を形成したので，点検口を設けなくても容易に，かつ，安価に浴室暖房乾燥機を据付けることができるようになる。
【００７８】
請求項２にかかる発明によれば，位置合部材３０６により雌ネジの位置を位置合せするようにしたので，ネダ固定具の固定位置等が多少位置ずれしても容易に位置合せすることができるようになる。
【００７９】
請求項３にかかる発明によれば，位置合部材３０６の底面に作業穴が形成されて，雌ネジを位置合せする際に天井裏に手を差入れて位置合わせ作業ができるようにしたので，ネダ固定具の固定位置等が多少位置ずれしても容易に位置合せすることができるようになる。
【００８０】
請求項４にかかる発明によれば，位置合部材３０６を本体ケースを搬送する際に収納される梱包箱又は当該梱包箱に収納されて本体ケースを保持し若しくは保護する段ボールを用いるようにしたので，安価，かつ，容易に浴室暖房乾燥機を据付けることができるようになる。
【図面の簡単な説明】
【図１】本発明の実施の形態の説明に適用される浴室暖房乾燥機の斜視図である。
【図２】浴室暖房乾燥機の分解斜視図である。
【図３】グリルを取除いたときの浴室暖房乾燥機本体の斜視図である。
【図４】浴室及び脱衣室に浴室暖房乾燥機を設けたときの模式図である。
【図５】浴室暖房乾燥機を据付けたときの側面図である。
【図６】ネダ固定具の構成図である。
【図７】吊下部材の構成図である。
【図８】位置合部材の展開図である。
【図９】位置合部材の斜視図である。
【図１０】グリルの斜視図である。
【図１１】浴室暖房乾燥機本体の内部構成を示す斜視図である。
【図１２】熱交換器の斜視図である。
【図１３】加熱室カバーの上面図である。
【図１４】制御室カバーの斜視図である。
【図１５】位置合部材を用いてネダ固定具の位置合せを行う際の模式図である。
【図１６】浴室暖房乾燥機本体の取付状況を示す模式図である。
【図１７】浴室暖房乾燥機本体を据付けたときの側面図である。
【図１８】従来の技術の説明に適用される浴室暖房乾燥機を浴室に取付けたときの模式図である。
【図１９】従来の技術の説明に適用される浴室暖房乾燥機の構成図である。
【図２０】従来の技術の説明に適用される一方向吹出の温度分布図である。
【符号の説明】
１００  浴室暖房乾燥機
１０１  本体
１０２  グリル
１０３  据付装置
１０４  ネダ
１０５  ネダ固定具
１１０  ボルト
１１１  ワッシャ
１２８  加熱部
１３０  換気部
１３１  制御部
１３２  本体ケース
１３６  熱源機
１３８  熱交換器
１３９  循環用送風機
１６１  導風部
１６２〜１６５  第１〜第４吹出窓
１７７  吊下穴
２１２  据付開口
２４０〜２４３  第１〜第４吹出口
２４４〜２４７  第１〜第４ルーバ
３０１  ネジ穴
３０２  上部材
３０３  長穴
３０４  下部材
３０５  貫通穴
３０６  位置合部材
３０７  底板
３０８，３０９  側板
３１０  糊代
３１１  野縁当接部
３１２  作業穴
３１３  位置合穴
３１４  雌ネジ
【図１】
0003688472.tif 000002
【図２】
0003688472.tif 000003
【図３】
0003688472.tif 000004
【図４】
0003688472.tif 000005
【図５】
0003688472.tif 000006
【図６】
0003688472.tif 000007
【図７】
0003688472.tif 000008
【図８】
0003688472.tif 000009
【図９】
0003688472.tif 000010
【図１０】
0003688472.tif 000011
【図１１】
0003688472.tif 000012
【図１２】
0003688472.tif 000013
【図１３】
0003688472.tif 000014
【図１４】
0003688472.tif 000015
【図１５】
0003688472.tif 000016
【図１６】
0003688472.tif 000017
【図１７】
0003688472.tif 000018
【図１８】
0003688472.tif 000019
【図１９】
0003688472.tif 000020
【図２０】
0003688472.tif 000021